(57)【特許請求の範囲】
【請求項１】
遊技盤の盤面上に形成された遊技領域から遊技者の位置する前方側とは反対側の後方側に向かう入賞領域へ遊技球を導入するために、前記遊技領域における流下方向を上下方向としその交差方向を左右方向として開口する入賞口を有し、前記遊技盤に固定される遊技機用入賞装置であって、
前記遊技盤と平行状で左右方向に延びる回動軸線周りで回動可能に配置され、前記遊技盤に沿って起立することにより前記入賞口を閉鎖して遊技球の前記入賞領域への導入を不能とする閉鎖位置と、前記遊技領域へ交差状に突出することにより前記入賞口を開放して遊技球の前記入賞領域への導入を可能とする開放位置とに変位する入賞扉と、
前記入賞口の左右方向一端部側において、前後方向に直線的に変位する駆動部材を前方側の突出位置と後方側の後退位置とでそれぞれ保持することにより、前記入賞扉を前記回動軸線周りで回動して前記閉鎖位置と開放位置とに変位させるためのリニアアクチュエータと、
前記駆動部材の前端部に取り付けられ、その駆動部材と一体的に前後移動する連結部材と、
それら入賞扉とリニアアクチュエータとの間に配置され、前記回動軸線よりも後方においてその回動軸線と平行状に配置された揺動軸線を有するとともに、前記連結部材の係合部と択一的に当接可能な一対の当接面を含む当接部が前記係合部と係合する伝達部材とを備え、
前記連結部材における係合部と前記伝達部材における当接部とは、前記連結部材が前記突出位置から後退位置へ移動するとき、前記係合部が第一当接面との当接状態から第二当接面との当接状態へ移行するに伴い前記伝達部材が一方向側に回転して、前記入賞扉を前記閉鎖位置から開放位置へ回動変位させる一方、前記連結部材が前記後退位置から突出位置へ移動するとき、前記係合部が前記第二当接面との当接状態から前記第一当接面との当接状態へ移行するに伴い前記伝達部材が他方向側に回転して、前記入賞扉を前記開放位置から閉鎖位置へ回動変位させる伝達機構を構成するとともに、
前記伝達部材における当接部の第一当接面と前記連結部材における係合部とは、前記入賞扉を前記閉鎖位置から開放位置へ回動変位させようとする外力が前記入賞扉に加えられたとき、互いに当接して前記伝達部材の一方向側への回転を阻止するロック機構を構成することを特徴とする遊技機用入賞装置。
【請求項２】
前記揺動軸線方向から見て、前記第一当接面と第二当接面とが所定の交差角で対向して交差することによって、前記当接部は前記伝達部材の外周縁の一部を除去して前方側に開放された開口を有する切欠部に形成され、
前記連結部材の係合部は、前記揺動軸線方向に突出して前記切欠部に配置されている請求項１に記載の遊技機用入賞装置。
【請求項３】
前記第一当接面は、前記連結部材の係合部の下方に位置するとともに、前記連結部材が前記突出位置へ移動したときに水平面又は後方側ほど低位となる傾斜面となるように形成され、前記外力が前記入賞扉に加えられたとき、前記連結部材の係合部に下側から当接して前記伝達部材の回転を阻止する請求項１又は２に記載の遊技機用入賞装置。
【請求項４】
請求項１ないし３のいずれか１項に記載の遊技機用入賞装置が前記遊技盤に固定配置されたことを特徴とする遊技機。
【発明の詳細な説明】
【技術分野】
【０００１】
本発明は、遊技機用入賞装置及びそれを搭載した遊技機に関する。
【背景技術】
【０００２】
遊技機において、例えば一般に「アタッカー」として用いられる入賞装置は、左右を長手方向とする長方形状の大入賞口が、対応する閉鎖部材（入賞扉）により開閉可能に塞がれる構造となっている。通常、入賞扉は下縁両端部が入賞装置の前面プレート（台板）等に例えばヒンジ止めされている。このような入賞扉は、ソレノイド等の駆動手段（リニアアクチュエータ）と揺動アーム（伝達部材）等の伝達機構とにより、大入賞口を塞ぐ閉鎖位置と、その閉鎖位置から手前側（遊技者側）に倒伏して大入賞口を開く開放位置との間で変位される。
【０００３】
このような入賞装置は賞球の払出しに直接関与するために不正行為（通称、ゴト行為）の標的となり易い。例えば、遊技機内に針金等の異物を挿入し、入賞扉、ソレノイドのプランジャ、プランジャから入賞扉へ動力伝達する伝達機構等を操作して、入賞扉を強制的に開放位置に移動する不正行為により、大量の賞球が不正に獲得されるおそれがある。そこで、従来より、入賞扉を閉鎖位置から開放位置へ回動変位させる外力が入賞扉に加えられても、大入賞口が不正に開口されないように、入賞扉を閉鎖位置に維持するためのロック機構（防犯機構）が考慮されている。
【０００４】
その際、伝達機構を複数の伝達部材で構成し、それら伝達部材間あるいはいずれかの伝達部材と入賞扉との間に、動力伝達のための連動手段（連動機構）とは別に上記ロック機構を設置するのが一般的である（特許文献１参照）。また、「電チュー」と通称され、一対の開閉部材（回動翼片）を有する入賞装置において、プランジャから開閉部材へ動力伝達するソレノイドアーム（駆動伝達部材）が、開閉部材の閉鎖状態においてプランジャのヘッド部と直接的に係合してロックする機構が開示されている（特許文献２参照）。
【０００５】
【特許文献１】特開２０００−２７９５８５号公報
【特許文献２】特開２００３−３４００２０号公報
【０００６】
このうち、前者（特許文献１）においては、ロック機構が連動手段とは別に設けられるために、防犯上安全性の高い部位を選んでロック機構を配置することができるが、構造が複雑化・大型化しやすくなり、遊技盤の盤面（遊技領域）を有効活用する上で障害となる場合がある。他方、後者（特許文献２）においては、動力伝達のための駆動伝達部材がロック機構を兼ねることによって構造の簡素化・小型化を図ることができるが、不正な外力が入賞扉に加わると駆動伝達部材の回動力がプランジャのヘッド部へ直接伝達されるので、プランジャにこじれを生じやすく、プランジャの曲がり、折れ等の損傷を招来するおそれがある。
【発明の開示】
【発明が解決しようとする課題】
【０００７】
本発明の課題は、リニアアクチュエータの駆動部材に接続される連結部材と、入賞扉に接続される伝達部材との間に、駆動力の伝達機能と不正な外力に対するロック機能との兼用構成を備えることによって、構造の簡素化・小型化を図るとともに、駆動部材の損傷を防止できる遊技機用入賞装置とそれを用いた遊技機を提供することにある。
【課題を解決するための手段及び発明の効果】
【０００８】
上記課題を解決するために、本発明の遊技機用入賞装置は、
遊技盤の盤面上に形成された遊技領域から遊技者の位置する前方側とは反対側の後方側に向かう入賞領域へ遊技球を導入するために、前記遊技領域における流下方向を上下方向としその交差方向を左右方向として開口する入賞口を有し、前記遊技盤に固定される遊技機用入賞装置であって、
前記遊技盤と平行状で左右方向に延びる回動軸線周りで回動可能に配置され、前記遊技盤に沿って起立することにより前記入賞口を閉鎖して遊技球の前記入賞領域への導入を不能とする閉鎖位置と、前記遊技領域へ交差状に突出することにより前記入賞口を開放して遊技球の前記入賞領域への導入を可能とする開放位置とに変位する入賞扉と、
前記入賞口の左右方向一端部側において、前後方向に直線的に変位する駆動部材を前方側の突出位置と後方側の後退位置とでそれぞれ保持することにより、前記入賞扉を前記回動軸線周りで回動して前記閉鎖位置と開放位置とに変位させるためのリニアアクチュエータと、
前記駆動部材の前端部に取り付けられ、その駆動部材と一体的に前後移動する連結部材と、
それら入賞扉とリニアアクチュエータとの間に配置され、前記回動軸線よりも後方においてその回動軸線と平行状に配置された揺動軸線を有するとともに、前記連結部材の係合部と択一的に当接可能な一対の当接面を含む当接部が前記係合部と係合する伝達部材とを備え、
前記連結部材における係合部と前記伝達部材における当接部とは、前記連結部材が前記突出位置から後退位置へ移動するとき、前記係合部が第一当接面との当接状態から第二当接面との当接状態へ移行するに伴い前記伝達部材が一方向側に回転して、前記入賞扉を前記閉鎖位置から開放位置へ回動変位させる一方、前記連結部材が前記後退位置から突出位置へ移動するとき、前記係合部が前記第二当接面との当接状態から前記第一当接面との当接状態へ移行するに伴い前記伝達部材が他方向側に回転して、前記入賞扉を前記開放位置から閉鎖位置へ回動変位させる伝達機構を構成するとともに、
前記伝達部材における当接部の第一当接面と前記連結部材における係合部とは、前記入賞扉を前記閉鎖位置から開放位置へ回動変位させようとする外力が前記入賞扉に加えられたとき、互いに当接して前記伝達部材の一方向側への回転を阻止するロック機構を構成することを特徴とする。
【０００９】
上記遊技機では、リニアアクチュエータ（例えばソレノイド）の駆動部材（例えばプランジャ）に接続される連結部材（例えばヘッドカバー）と、入賞扉に接続される伝達部材（例えば揺動アーム）との間に、駆動力の伝達機能と不正外力に対するロック機能とを兼ねる構成を備えている。すなわち、伝達部材における当接部の第一当接面及び第二当接面と連結部材における係合部（例えば係合ピン）との当接によって駆動力の伝達が行われ、伝達部材における当接部の第一当接面と連結部材における係合部とで不正な外力に対するロック（回動阻止）が行われる。このように、第一当接面と係合部とは、駆動力の伝達機能と不正な外力に対するロック機能とを兼ねることとなる。したがって、かかる兼用構成によって構造の簡素化・小型化を図ることができる。また、不正な外力が入賞扉に加わっても伝達部材の回動力が駆動部材へ直接伝達されないので、駆動部材にこじれを生じにくく、駆動部材の曲がり、折れ等の損傷が防止できる。
【００１０】
なお、リニアアクチュエータの駆動部材として、一般的には直線駆動型ソレノイドのプランジャが用いられるが、例えばリニアステッピングモータの駆動出力軸等を用いてもよい。
【００１１】
具体的には、揺動軸線方向から見て、第一当接面と第二当接面とが所定の交差角で対向して交差することによって、当接部は伝達部材の外周縁の一部を除去して前方側に開放された開口を有する切欠部に形成され、
連結部材の係合部を、揺動軸線方向に突出して切欠部に配置（例えば挿入）することができる。
【００１２】
これによって、一層の簡素化・小型化を図ることができるとともに、係合部を切欠部に配置すればよいので、組立性を向上させ製造コストを低減することができる。
【００１３】
その際、第一当接面と第二当接面との交差角αを、入賞扉が閉鎖位置と開放位置との間で回動する際の伝達部材の揺動角βよりも大きく、直角よりも小さく形成することができる（揺動角β≦交差角α≦９０°）。
【００１４】
揺動角β≦交差角αとすることによって、切欠部内での係合部の移動量を相対的に大きくとれるので、結果的に伝達部材の揺動角βに対して入賞扉の回動角β’を大きくすることができ（揺動角β≦回動角β’）、伝達機構の更なる小型化が可能となる。なお、交差角α≦９０°とすることによって、伝達部材が揺動したときに連結部材の係合部が伝達部材の切欠部開口から外れる（離脱する）ことを防止できる。
【００１５】
また、第一当接面を、連結部材の係合部の下方に位置させるとともに、連結部材が突出位置へ移動したときに水平面又は後方側ほど低位となる傾斜面となるように形成し、外力が入賞扉に加えられたとき、連結部材の係合部に下側から当接させて伝達部材の回転を阻止することができる。
【００１６】
このように、伝達部材の第一当接面が連結部材の係合部に下側から当接することによって、入賞扉を閉鎖位置から開放位置へ回動変位させようとする不正な外力が作用したときに、その不正な外力が、伝達部材を一方向側へ回転して連結部材の係合部を突出位置から後退位置へ移動しようとするのを防止しやすくなる。
【００１７】
なお、傾斜面が水平面となす傾斜角γを４５°以下に設定する場合（傾斜角γ≦４５°）には、上記した不正な外力のうち、連結部材の係合部を突出位置から後退位置へ移動しようとする水平分力が、連結部材の係合部を上方へ持ち上げ移動しようとする垂直分力よりも小さくなる。このように、伝達部材の第一当接面と連結部材の係合部との当接により、入賞扉の不正開放を確実に防止できる。
【００１８】
さらに、プランジャのヘッド部を自身の前後方向の軸線周りで回転可能に連結部材と接続することができる。
【００１９】
連結部材に対してプランジャが回転可能に接続されているため、上記した不正な外力がプランジャの曲げ力又はねじり力として作用しても、連結部材とヘッド部との相対的な回転によって逃がす（こじれを回避する）ことができ、プランジャの曲がり、折れ等の損傷を一層確実に防止できる。
【００２０】
そこで、上記課題を解決するために、本発明の遊技機は、
以上のような遊技機用入賞装置が遊技盤に固定配置されたことを特徴とする。
【００２１】
このように、リニアアクチュエータ（ソレノイド）の駆動部材（プランジャ）に接続される連結部材（ヘッドカバー）と、入賞扉に接続される伝達部材（揺動アーム）との間に、駆動力の伝達機能と不正な外力に対するロック機能との兼用構成を備えることによって、入賞装置の簡素化・小型化を図るとともに、駆動部材の損傷を防止でき、興趣に富む盤面構成を有する遊技機を容易に実現することができる。
【発明を実施するための最良の形態】
【００２２】
（実施例１）
以下、本発明の実施の形態を図面を参照しつつ説明する。図１は本発明に係る遊技機用入賞装置（以下、単に入賞装置ともいう）を備えたパチンコ機を例示する正面図、図２は本発明に係る入賞装置の一例を一部破断して示す全体斜視図、図３はその主要部の分解斜視図である。図１に示すように、パチンコ機１（遊技機）の遊技盤２の盤面２ａ（前面）には、ほぼ左半周が内外２本の発射レール２ｂによって区画され、全体として円形の遊技領域２ｃが形成されている。遊技領域２ｃの中央には液晶表示部３が搭載され、液晶表示部３の下方（遊技領域２ｃの中央下部）に入賞装置４（大入賞装置）が配置されている。なお、液晶表示部３と入賞装置４との間には、始動入賞口を有して一対の回動翼片（図示せず）によって形成される電動チューリップ（以下、電チューともいう）６が配置されている。
【００２３】
この入賞装置４は、遊技盤２に固定するための台板５を含んで構成される。この台板５は、厚さ方向（前後方向）に貫通形成されるとともに、遊技領域２ｃにおける流下方向を上下方向としその交差（例えば直交）方向である左右方向を長手方向として開口する矩形状の入賞口５ａ（大入賞口；図４参照）を有する。したがって、発射レール２ｂから打ち出された遊技球（図示せず）は、遊技盤２の盤面２ａ上に形成された遊技領域２ｃから入賞口５ａを通過して後方側の入賞領域５ｂ（図４参照）へ導入される。
【００２４】
本明細書において、上下方向とは遊技盤２の盤面２ａに沿う形で遊技球が流下する方向（例えば、鉛直方向）を意味する。また、左右方向とは遊技盤２の盤面２ａに沿う形で上下方向と交差する方向（例えば、水平方向）を意味し、遊技者側からみて左側、右側をいう。さらに、前後方向とは遊技盤２と交差（例えば、直交）する方向を意味し、遊技者側（手前側）が前方側であり、その反対側（奥側）が後方側となる。
【００２５】
図２に示すように、入賞装置４は、入賞口５ａ（図４参照）に対応して台板５（図１参照）に取り付けられる入賞扉１０（大入賞扉）と、前後方向でプランジャ２１（駆動部材）が直線的に変位するように配置される直線駆動型のソレノイド２０（リニアアクチュエータ）と、入賞扉１０とソレノイド２０との間に配置されプランジャ２１の駆動力を入賞扉１０に伝達する伝達機構５０とを備えている。そして、これらの入賞扉１０，ソレノイド２０，伝達機構５０は、高分子材料（例えば合成樹脂）製の前方ケース４ａ及び後方ケース４ｂに収容され、台板５に組み付けられている。なお、前方ケース４ａ及び後方ケース４ｂには、入賞装置４への入賞球を検知するための近接スイッチ（入賞球検出器）、入賞装置４の内部を照明するための発光基板等も収容されているが、いずれも図示を省略した。
【００２６】
図３に示すように、入賞扉１０は、正面視において左右方向が長手方向となる矩形状の板状形態をなし、入賞口５ａ（図４参照）に嵌め込まれて、例えば遊技盤２（図１参照）と平行状で入賞口５ａの下辺に沿って延びる回動軸線Ｏ１周りに回動可能に配置されている。そして、遊技盤２に沿って起立することにより入賞口５ａを閉鎖して遊技球の入賞領域５ｂ（図４参照）への導入を不能とする閉鎖位置（図５参照）と、遊技領域２ｃ（図１参照）へ交差状に突出することにより入賞口５ａを開放して遊技球の入賞領域５ｂへの導入を可能とする開放位置（図７参照）とに回動変位する。
【００２７】
具体的には、入賞扉１０は、両側部下端に回動軸線Ｏ１に沿って左右に各々突出する回動軸１１，１１が設けられており、この回動軸１１，１１が前方ケース４ａに回転可能に支持されている（図４参照）。なお、回動軸１１，１１の代わりに軸孔を形成して前方ケース４ａ又は台板５側から軸支する形態としてもよい。また、入賞扉１０は、両側部で後方に延出する側壁部１２，１２が形成され、遊技者側から見て左側（一端部側）の側壁部１２の後端部には、丸軸状の突起部１３が左側端面から外側に向けて回動軸線Ｏ１と平行状に突出形成されている。後述するように、突起部１３は伝達機構５０（後述する揺動アーム４０）からの作用を受ける被作用部を構成する。
【００２８】
ソレノイド２０は、入賞扉１０の左側端部において前後方向に配置され、本体ケース２９から突出する前端部にヘッド部２２が形成されたプランジャ２１と、本体ケース２９と後述するヘッドカバー３０との間に介装された圧縮コイルばね２３（弾発部材）とを有する。ソレノイド２０は、ヘッド部２２を前方側の突出位置（図５参照）と後方側の後退位置（図７参照）とでそれぞれ保持することにより、入賞扉１０を回動軸線Ｏ１周りで回動して閉鎖位置（図５参照）と開放位置（図７参照）とに変位させる。具体的には、通常状態ではソレノイド２０は消磁され、圧縮コイルばね２３がプランジャ２１を突出位置に向けて付勢し、入賞扉１０を閉鎖位置に保持する（変位させる）。一方、大当たり状態ではソレノイド２０は励磁され、圧縮コイルばね２３の付勢力に抗してプランジャ２１が後退位置に移動し、入賞扉１０を開放位置に保持する（変位させる）。なお、符号２４は、圧縮コイルばね２３とともにプランジャ２１に挿通されたとき、ヘッドカバー３０側でその圧縮コイルばね２３を受けることのできるばね受け部材（例えば座金）を示す。この座金２４が圧縮コイルばね２３の付勢力をヘッドカバー３０の外面で受け止めることによって、後述するヘッドカバー３０に形成された保持部３３に圧縮コイルばね２３が侵入できなくなる。これにより、プランジャ２１（ヘッド部２２）は保持部３３に対して前後方向のプランジャ軸線Ｏ３周りで回転可能に保持（接続）されている（図４参照）。
【００２９】
次に、伝達機構５０は、入賞扉１０の左側端部においてプランジャ軸線Ｏ３方向に沿って前後方向に配置されている。この伝達機構５０は、プランジャ２１のヘッド部２２に取り付けられ、ヘッド部２２と一体的に前後移動するヘッドカバー３０（連結部材）と、入賞扉１０の回動軸線Ｏ１よりも後方においてその回動軸線Ｏ１と平行状に配置された揺動軸線Ｏ２周りで揺動するとともに、ヘッドカバー３０と係合する揺動アーム４０（伝達部材）とを有する。揺動アーム４０は、ソレノイド２０のプランジャ２１のヘッド部２２が突出位置に変位したとき入賞扉１０を閉鎖位置に変位させ（図５参照）、プランジャ２１のヘッド部２２が後退位置に変位したとき入賞扉１０を開放位置に変位させるように（図７参照）、プランジャ２１の駆動力をヘッドカバー３０を介して入賞扉１０へ伝達する。なお、揺動軸線Ｏ２はプランジャ軸線Ｏ３と直交している（図４参照）。
【００３０】
揺動アーム４０は、略Ｌ字形状に形成され、ヘッドカバー３０と接続されてプランジャ２１の前後移動に伴って筒状揺動軸４２（揺動軸線Ｏ２）を中心に揺動する第一アーム４０ａ（第一揺動部）と、回動軸線Ｏ１よりも後方で入賞扉１０に当接（係合）可能な第二アーム４０ｂ（第二揺動部）とを含む。そして、第二アーム４０ｂには、回動軸線Ｏ１よりも後方側で側壁部１２の突起部１３に係合することにより入賞扉１０を閉鎖位置又は開放位置に維持可能な切欠状凹部４３が形成されている。
【００３１】
図４に示すように、第一アーム４０ａには、外周縁の一部を除去して前方側に開放された開口を有し、ヘッドカバー３０から突出する係合ピン３１（係合部）と択一的に当接可能な一対の当接面４１ａ，４１ｂが略Ｖ字状を呈する形態で、切欠部４１（当接部）が形成されている。このうち、係合ピン３１の下方に位置する第一当接面４１ａは、図４に示す入賞扉１０の閉鎖位置（ヘッドカバー３０の突出位置）において水平状に形成されている。一方、第二当接面４１ｂは、第一当接面４１ａと交差角αを挟んで対向配置され（図５参照）、入賞扉１０の開放位置（ヘッドカバー３０の後退位置）において鉛直状に形成されている（図７参照）。ここで、第一当接面４１ａと第二当接面４１ｂとの交差角α（例えば６５°；図５参照）は、入賞扉１０が閉鎖位置と開放位置との間で回動する際の揺動アーム４０の揺動角β（例えば３０°；図７参照）よりも大きく、直角よりも小さく形成されている（揺動角β≦交差角α≦９０°）。
【００３２】
このように、揺動角β≦交差角αとすることによって、切欠部４１内での係合ピン３１の移動量を相対的に大きくとれるので、結果的に揺動アーム４０の揺動角βに対して入賞扉１０の回動角β’（例えば５０°；図７参照）を大きくすることができ（揺動角β≦回動角β’）、伝達機構５０の小型化が可能となる。なお、交差角α≦９０°とすることによって、揺動アーム４０が揺動したときにヘッドカバー３０の係合ピン３１が揺動アーム４０の切欠部４１開口から外れる（離脱する）ことを防止できる。
【００３３】
ヘッドカバー３０は、長孔状凹部３２で第一アーム４０ａの筒状揺動軸４２を摺動案内しつつ（図５〜図７参照）、揺動軸線Ｏ２（筒状揺動軸４２）と平行状に突出する係合ピン３１が、上記一対の当接面４１ａ，４１ｂに択一的に当接可能な形態で、第一アーム４０ａの切欠部４１に挿入（配置）されるとともに、保持部３３とプランジャ２１のヘッド部２２とが相対的に回転可能に保持されている。保持部３３に対してプランジャ２１（ヘッド部２２）がプランジャ軸線Ｏ３周りで回転可能に接続されているとともに、保持部３３（ヘッドカバー３０）は長孔状凹部３２で筒状揺動軸４２に保持されているだけであるから、保持部３３自身もプランジャ軸線Ｏ３周りで回転可能にプランジャ２１（ヘッド部２２）に接続されている。そのため、入賞扉１０を閉鎖位置から開放位置へ回動変位させようとする不正な外力がプランジャ２１の曲げ力又はねじり力として作用しても、保持部３３とヘッド部２２との相対的な回転によって逃がす（こじれを回避する）ことができ、プランジャ２１の曲がり、折れ等の損傷を防止できる。
【００３４】
ヘッドカバー３０と揺動アーム４０のうち、特にヘッドカバー３０における係合ピン３１と揺動アーム４０における切欠部４１とは、伝達機構５０の主要部を構成している。具体的には、ヘッドカバー３０が突出位置から後退位置へ移動するとき（図５→図７参照）、ヘッドカバー３０の長孔状凹部３２が筒状揺動軸４２を摺動案内しつつ後退し、ヘッドカバー３０の係合ピン３１が切欠部４１の第一当接面４１ａ上を後方へ移動する（図６参照）。次いで、係合ピン３１が第一当接面４１ａとの当接状態を脱して第二当接面４１ｂとの当接状態へ移行するに伴い第一アーム４０ａが一方向側（反時計回り）に回転して、入賞扉１０は閉鎖位置から開放位置へ回動変位する（図７参照）。このとき、第二アーム４０ｂの切欠状凹部４３の上面が側壁部１２の突起部１３を上方から押圧保持することにより入賞扉１０を開放位置に維持する。
【００３５】
一方、ヘッドカバー３０が後退位置から突出位置へ移動するとき（図７→図５参照）、ヘッドカバー３０の長孔状凹部３２が筒状揺動軸４２を摺動案内しつつ前進し、ヘッドカバー３０の係合ピン３１も切欠部４１の第二当接面４１ｂから前方へ移動する（図６参照）。次いで、係合ピン３１が第二当接面４１ｂとの当接状態を脱して第一当接面４１ａとの当接状態へ移行するに伴い第一アーム４０ａが他方向側（時計回り）に回転して、入賞扉１０は開放位置から閉鎖位置へ回動変位する（図５参照）。このとき、第二アーム４０ｂの切欠状凹部４３の上面が側壁部１２の突起部１３を上方から押圧保持することにより入賞扉１０を閉鎖位置に維持する。
【００３６】
なお、揺動アーム４０の切欠部４１において、略Ｖ字状を呈する第一当接面４１ａと第二当接面４１ｂとの収束部（Ｖ字状尖端部）には、略半円状のアール面等で溝４１ｃが形成されている。溝４１ｃの形成によってＶ字状尖端部が除去されるので、係合ピン３１が第一当接面４１ａと第二当接面４１ｂとの間を移動する際に、切欠部４１のＶ字状尖端部で係合ピン３１がロックされて移動不能になることが防止される。
【００３７】
次に、図２〜図４により、入賞装置４の組立手順について概略説明する。まず、プランジャ２１のヘッド部２２をヘッドカバー３０の保持部３３に挿入する。続いて、ヘッドカバー３０の長孔状凹部３２と揺動アーム４０の筒状揺動軸４２とを、高分子材料（例えば合成樹脂）製の固定板４ｃから揺動軸線Ｏ２に沿って突出する固定軸４ｄに挿通し、ビス等の締結部材４ｆによってソレノイド２０（本体ケース２９）を固定板４ｃに載置固定する。その後、ソレノイド２０、ヘッドカバー３０及び揺動アーム４０を固定板４ｃに保持した状態で、固定板４ｃを後方ケース４ｂから前方ケース４ａへ挿入する。
【００３８】
このとき、前端部において、揺動アーム４０の切欠状凹部４３を、回動軸１１が前方ケース４ａの凹部４ａ１に回転可能に軸支された入賞扉１０の突起部１３と係合させる。また、中間部において、固定板４ｃの固定軸４ｄを、後方ケース４ｂの内面に形成された凹部４ｂ１に嵌合固定する。さらに、後端部において、固定板４ｃの凸部４ｃ１を、後方ケース４ｂの後端に形成された爪部４ｂ２に、合成樹脂の弾性変形を利用して嵌め込み固定する。このように、固定板４ｃにより入賞装置４の大半を組み立てて予めユニット化してから、ケース４ａ，４ｂに挿入して入賞扉１０との組み付けを行うことができるので、組立作業の効率化を図り製造コストを低減できるとともに、設計変更や仕様変更にも迅速に対応できる。
【００３９】
次に、図１、図４及び図５〜図７を用いて、以上のような構成を有する入賞装置４の作動について、遊技領域２ｃでの遊技状態と関連させて説明する。
【００４０】
＜通常状態＝閉鎖位置＞（図５）
通常状態（非大当たり状態）では、ソレノイド２０が消磁され、圧縮コイルばね２３がプランジャ２１を突出位置に向けて付勢し、入賞扉１０を閉鎖位置に保持する。具体的には、ソレノイド２０のプランジャ２１が後退位置から突出位置へ変位すると、ヘッドカバー３０の係合ピン３１が切欠部４１の第一当接面４１ａと当接し、切欠状凹部４３の上面が側壁部１２の突起部１３を上方から押圧保持することにより、入賞扉１０を閉鎖位置に維持している。したがって、遊技領域２ｃを流下する遊技球は入賞領域５ｂには導入されない。
【００４１】
＜大当たり状態＝開放位置＞（図７）
遊技領域２ｃを流下する遊技球が電チュー６へ入賞すると当否抽選が実行され、その抽選結果が大当たりであると、液晶表示部３に大当たり図柄（例えば、「７，７，７」のゾロ目）が表示される。大当たり状態ではソレノイド２０が励磁され、圧縮コイルばね２３の付勢力に抗してプランジャ２１が後退位置に移動し、入賞扉１０を開放位置に保持する。具体的には、ソレノイド２０のプランジャ２１が突出位置から後退位置へ変位するとき、ヘッドカバー３０の長孔状凹部３２が筒状揺動軸４２を摺動案内しつつ後退し、ヘッドカバー３０の係合ピン３１が切欠部４１の第一当接面４１ａとの当接状態を解消する中間位置（図６）へ移行する。その後、係合ピン３１が第二当接面４１ｂとの当接状態へ移行し、切欠状凹部４３の上面が側壁部１２の突起部１３を上方から押圧保持することにより、入賞扉１０を開放位置に維持する。これによって、遊技領域２ｃを流下する遊技球は入賞領域５ｂに導入されるようになる。
【００４２】
そして、入賞口５ａへの所定個数（例えば１０個）の入賞を検出したとき、又は所定時間（例えば、３０秒）が経過したときに、再びソレノイド２０が消磁され、プランジャ２１のヘッド部２２は後退位置から突出位置へ変位し、入賞扉１０は開放位置（図７）から中間位置（図６）を経て閉鎖位置（図５）へ変位する。以上を１ラウンド（１Ｒ）として所定のラウンド数（例えば、１５Ｒ）にわたって入賞扉１０の開閉操作が繰り返され、遊技者はこの間に大量の賞球を獲得することができる。
【００４３】
＜ロック状態＝閉鎖位置＞（図５）
入賞扉１０を閉鎖位置（図５）から開放位置（図７）へ回動変位させようとする外力が入賞扉１０に加えられたとき、揺動アーム４０における切欠部４１の第一当接面４１ａが、ヘッドカバー３０における係合ピン３１に対して下側から当接している。これによって、揺動アーム４０の反時計回りの回転が阻止され、入賞扉１０は閉鎖位置に維持される。
【００４４】
このように、揺動アーム４０における切欠部４１の第一当接面４１ａ及び第二当接面４１ｂとヘッドカバー３０における係合ピン３１との当接によって駆動力の伝達が行われ、切欠部４１の第一当接面４１ａと係合ピン３１とで不正な外力に対するロック（回動阻止）が行われる。つまり、第一当接面４１ａと係合ピン３１とは、駆動力の伝達機能と不正な外力に対するロック機能とを兼ねることとなる。このような兼用構成によって構造の簡素化・小型化を図ることができる。また、不正な外力が入賞扉１０に加わっても揺動アーム４０の回動力がプランジャ２１へ直接伝達されないので、プランジャ２１にこじれを生じにくく、プランジャ２１の曲がり、折れ等の損傷が防止できる。
【００４５】
なお、揺動アーム４０の重心が揺動軸線Ｏ２よりも前方に常時位置することにより、自重（重心移動）で時計回りに傾倒するタイプ（いわゆる自重タイプ）では、入賞扉１０の閉鎖位置（図５）において第一当接面４１ａと係合ピン３１との間に、製造上の誤差や使用開始後の摩耗に伴う若干の隙間を生じる場合がある。また、揺動アーム４０の重心が揺動軸線Ｏ２の上方又は後方に常時位置することにより、プランジャ２１の駆動力に基づくモーメントが作用したとき揺動軸線Ｏ２を中心として時計回りに傾倒するタイプ（いわゆる自立タイプ）では、入賞扉１０の開放位置（図７）において第二当接面４１ｂと係合ピン３１との間に、製造上の誤差や使用開始後の摩耗に伴う若干の隙間を生じる場合がある。
【００４６】
（変更例）
図８は入賞装置の組立変更例を示す主要部の斜視図、図９はその分解斜視図である。図８及び図９に示す入賞装置４（遊技機用入賞装置）では、固定板４ｃから揺動軸線Ｏ２に沿って筒状固定軸４ｄ’が突出し、筒状固定軸４ｄ’をヘッドカバー３０の長孔状凹部３２と揺動アーム４０の筒状揺動軸４２とに挿通した後、ビス等の締結部材４ｅによって揺動アーム４０の筒状揺動軸４２を回転可能に軸支している。
【００４７】
（実施例２）
図１０は他の例を示す入賞装置において、入賞扉が閉鎖位置にあるときの作動説明側面図、図１１は同じく入賞扉が閉鎖位置と開放位置との間にあるときの作動説明側面図、図１２は同じく入賞扉が開放位置にあるときの作動説明側面図である。これら各図に示す入賞装置４’（遊技機用入賞装置）では、ヘッドカバー３０（連結部材）の係合ピン３１（係合部）の下方に位置する切欠部４１（当接部）の第一当接面４１ａ’が、図１０に示す入賞扉１０の閉鎖位置（ヘッドカバー３０の突出位置）において後方側ほど低位となる傾斜面に形成されている。ただし、傾斜面（第一当接面４１ａ’）が水平面となす傾斜角γ（例えば５°；図１０参照）は４５°以下に設定されている。
【００４８】
このように、傾斜角γが４５°以下に設定されているので（傾斜角γ≦４５°）、上記した不正な外力のうち、ヘッドカバー３０の係合ピン３１を突出位置から後退位置へ移動しようとする水平分力が、係合ピン３１を上方へ持ち上げ移動しようとする垂直分力よりも小さくなる。このように、揺動アーム４０（伝達部材）の第一当接面４１ａ’とヘッドカバー３０の係合ピン３１との当接により、入賞扉１０の不正開放を確実に防止できる。なお、この実施例では第一当接面４１ａ’が傾斜面に形成されているため、係合ピン３１による第一当接面４１ａ’と第二当接面４１ｂとの間の移動（特に、第一当接面４１ａ’から第二当接面４１ｂへの移動）時に、上記したＶ字状尖端部でのロック現象は発生しにくい。したがって、本実施例の切欠部４１には、実施例１（図４）における溝４１ｃは形成されていない。
【００４９】
なお、変更例（図８・図９）、実施例２（図１０〜図１２）において実施例１（図２〜図７）と共通する機能を有する部分にはそれぞれ同一符号を付して説明を省略する。また、図１０〜図１２に示す入賞装置４’の作動は、図５〜図７に示す入賞装置４の作動と同様である。
【図面の簡単な説明】
【００５０】
【図１】本発明に係る入賞装置を備えたパチンコ機を例示する正面図。
【図２】本発明に係る入賞装置の一例を一部破断して示す全体斜視図。
【図３】図２の主要部の分解斜視図。
【図４】図２の側面断面図。
【図５】入賞扉が閉鎖位置にあるときの作動説明側面図。
【図６】入賞扉が閉鎖位置と開放位置との間にあるときの作動説明側面図。
【図７】入賞扉が開放位置にあるときの作動説明側面図。
【図８】入賞装置の組立変更例を示す主要部の斜視図。
【図９】図８の分解斜視図。
【図１０】他の例を示す入賞装置において、入賞扉が閉鎖位置にあるときの作動説明側面図。
【図１１】同じく入賞扉が閉鎖位置と開放位置との間にあるときの作動説明側面図。
【図１２】同じく入賞扉が開放位置にあるときの作動説明側面図。
【符号の説明】
【００５１】
１        パチンコ機（遊技機）
２        遊技盤
２ａ      盤面
２ｃ      遊技領域
４        入賞装置（遊技機用入賞装置；大入賞装置）
５        台板
５ａ      入賞口（大入賞口）
５ｂ      入賞領域
１０      入賞扉（大入賞扉）
１１      回動軸
２０      直線駆動型ソレノイド（リニアアクチュエータ）
２１      プランジャ（駆動部材）
２２      ヘッド部
２３      圧縮コイルばね（弾発部材）
３０      ヘッドカバー（連結部材）
３１      係合ピン（係合部；ロック機構）
３２      長孔状凹部
３３      保持部
４０      揺動アーム（伝達部材）
４１      切欠部（当接部）
４１ａ    第一当接面（ロック機構）
４１ｂ    第二当接面
４２      筒状揺動軸
５０      伝達機構
Ｏ１      回動軸線
Ｏ２      揺動軸線
Ｏ３      プランジャ軸線
α        交差角
β        揺動角
β’      回動角
γ        傾斜角
【図１】
0005179211.tif 000002
【図２】
0005179211.tif 000003
【図３】
0005179211.tif 000004
【図４】
0005179211.tif 000005
【図５】
0005179211.tif 000006
【図６】
0005179211.tif 000007
【図７】
0005179211.tif 000008
【図８】
0005179211.tif 000009
【図９】
0005179211.tif 000010
【図１０】
0005179211.tif 000011
【図１１】
0005179211.tif 000012
【図１２】
0005179211.tif 000013